(57)【要約】      （修正有）【課題】リモコン装置で被制御装置を遠隔操作する際、リモコン装置に対して設定された操作手順をマニュアルを用意しなくても確認できるようにするための技術を提供する。【解決手段】テレビを遠隔操作するためのリモコンは、記録部に組み込まれたウェブブラウザによって、ウェブページへアクセスすることができる。そのため、リモコンおよびテレビに対して設定された操作手順が記載された操作解説用ページへアクセスすることによって、リモコンの操作手順をウェブページとして表示部により表示することができる。よって、利用者は、このようなウェブページへアクセスする操作手順のみを覚えておけば、リモコンでテレビを遠隔操作する際に、マニュアルを手元に用意しなくても、リモコンに対して設定された操作手順を確認することができる。【選択図】図１
2004153672.tif 000002
【特許請求の範囲】
【請求項１】
利用者に入力操作を行わせる操作入力手段と、被制御装置を動作させるための入力操作が前記操作入力手段により行われた際に、該入力操作に対応する動作を被制御装置に指令する動作指令手段と、を備えたリモコン装置であって、
各種情報を表示する情報表示手段と、
前記操作入力手段への操作を受けて、ネットワーク経由で伝送されるデータを送受信するデータ通信手段と、
該データ通信手段により受信されたデータで示される内容を前記情報表示手段に表示させる表示指令手段と、を備えている
ことを特徴とするリモコン装置。
【請求項２】
音声を入出力する音声入出力手段と、
前記操作入力手段への操作を受けて、前記データ通信手段に音声データを受信させて該音声データに基づく音声を前記音声入出力手段に出力させること、および、該音声入出力手段に入力された音声に基づく音声データを前記データ通信手段に送信させることを開始する送受信開始手段と、を備えている
ことを特徴とする請求項１に記載のリモコン装置。
【請求項３】
被制御装置がテレビ受像機であるリモコン装置であって、
前記データ通信手段は、複数の放送番組それぞれの番組内容および放送チャネルを特定可能な番組データをネットワーク経由で配信可能な番組サーバーから、前記番組データを受信可能であって、
前記表示指令手段は、前記データ通信手段により受信された前記番組データで特定される放送番組それぞれの番組内容および放送チャネルを前記情報表示手段に表示させて、
前記動作指令手段は、前記表示指令手段による指令で番組内容および放送チャネルが前記情報表示手段に表示された後、該表示内容に基づき複数の放送番組のうちいずれかの放送番組を選択する操作が前記操作入力手段により行われた際に、該選択された放送番組の放送チャネルへの受信チャネルの切り替えをテレビ受像機に指令する
ことを特徴とする請求項１または請求項２に記載のリモコン装置。
【請求項４】
前記番組サーバーにより配信される前記番組データは、複数の放送番組それぞれに関連する関連データが付加されたデータであって、
前記表示指令手段は、番組内容および放送チャネルを前記情報表示手段に表示させた後、該表示内容に基づき複数の放送番組のうちいずれかの放送番組を選択する操作が前記操作入力手段により行われた際に、該選択された放送番組に関連する前記関連データで示される内容を前記情報表示手段に表示させる
ことを特徴とする請求項３に記載のリモコン装置。
【請求項５】
前記番組サーバーにより配信される前記番組データは、複数の放送番組それぞれに関連する関連データが付加されたデータであって、
前記表示指令手段は、前記データ通信手段により前記番組データが受信された後、該番組データに付加された前記関連データそれぞれで示される内容を所定のスケジュールに従って前記情報表示手段に表示させる
ことを特徴とする請求項３に記載のリモコン装置。
【請求項６】
各種データを記録する記録手段と、
前記データ通信手段により受信された前記番組データについて、該番組データに付加されている前記関連データそれぞれを前記記録手段に記録させる関連記録指令手段と、を備えており、
前記表示指令手段は、前記記録手段に記録されている前記関連データそれぞれで示される内容を、所定のスケジュールに従って前記情報表示手段に表示させる
ことを特徴とする請求項５に記載のリモコン装置。
【請求項７】
前記データ通信手段は、映像データをネットワーク経由で配信可能な映像サーバーから前記映像データを受信可能であって、
前記表示指令手段は、前記データ通信手段により前記映像データが受信された場合、該映像データに基づく映像を前記情報表示手段に表示させる
ことを特徴とする請求項１から請求項６のいずれかに記載のリモコン装置。
【請求項８】
各種データを記録する記録手段と、
前記データ通信手段により受信された前記映像データを前記記録手段に記録させる映像記録指令手段と、を備えており、
前記表示指令手段は、前記操作入力手段による操作を受けて、前記記録手段に記録されている前記映像データに基づく映像を前記情報表示手段に表示させる
ことを特徴とする請求項７に記載のリモコン装置。
【請求項９】
複数の放送番組それぞれの番組内容および放送チャネルを特定可能な番組データをネットワーク経由で配信可能な番組サーバー、および、請求項３から請求項８のいずれかに記載のリモコン装置により構成される
ことを特徴とする通信システム。
【請求項１０】
映像データをネットワーク経由で配信可能な映像サーバー、および、請求項７または請求項８に記載のリモコン装置により構成される
ことを特徴とする通信システム。
【請求項１１】
利用者に入力操作を行わせる操作入力手段と、被制御装置を動作させるための入力操作が前記操作入力手段により行われた際に、該入力操作に対応する動作を被制御装置に指令する動作指令手段と、各種情報を表示する情報表示手段とを備えたリモコン装置を制御するための各種手順を、コンピュータシステムに実行させるためのリモコン制御プログラムであって、
ネットワーク経由で伝送されるデータを送受信可能なデータ通信手順と、
該データ通信手順において受信されたデータで示される内容を前記情報表示手段に表示させる表示指令手順と、が含まれている
ことを特徴とするリモコン制御プログラム。
【発明の詳細な説明】
【０００１】
【発明の属する技術分野】
本発明は、被制御装置を遠隔操作するためのリモコン装置に関する。
【０００２】
【従来の技術】
従来、リモコン装置は、利用者に入力操作を行わせる操作入力手段と、この操作入力手段による入力操作に対応する動作を被制御装置へ指令する指令手段とを備えたものが一般的である。
【０００３】
また、近年では、様々な機能を有するリモコン装置が提案されている。例えば、テレビ受像機（テレビジョン）を遠隔操作するためのリモコン装置として、テレビ受像機（画像再生機器）の再生画像を表示する表示部を備えたリモコン装置（リモコン送信機）や（特許文献１参照）、データ放送のデータを受信し、このデータを表示パネルに表示する機能を有するデータ放送再生機能付モコン装置（特許文献２参照）などが挙げられる。
【０００４】
【特許文献１】
特開２００１−１０３３３４号公報
【特許文献２】
特開２００２−０１０１００号公報
【０００５】
【発明が解決しようとする課題】
しかし、近年では、リモコン装置（の操作入力手段）に対して、被制御装置における様々な機能に対応する複雑な操作手順が複数設定されていることもあり、利用者が全ての操作手順を充分に把握しきれないことも多い。このような場合、利用者はマニュアルで操作手順を確認しながら入力操作を行えばよいが、その都度マニュアルを用意することは非常に面倒であり、マニュアルを紛失した場合には操作手順を確認することができなくなってしまう。
【０００６】
本発明は、リモコン装置で被制御装置を遠隔操作する際、リモコン装置に対して設定された操作手順をマニュアルを用意しなくても確認できるようにするための技術を提供することを目的とする。
【０００７】
【課題を解決するための手段および発明の効果】
上記問題を解決するため請求項１に記載のリモコン装置は、
利用者に入力操作を行わせる操作入力手段と、被制御装置を動作させるための入力操作が前記操作入力手段により行われた際に、該入力操作に対応する動作を被制御装置に指令する動作指令手段と、を備えたリモコン装置であって、
各種情報を表示する情報表示手段と、
前記操作入力手段への操作を受けて、ネットワーク経由で伝送されるデータを送受信するデータ通信手段と、
該データ通信手段により受信されたデータで示される内容を前記情報表示手段に表示させる表示指令手段と、を備えている、ことを特徴とする。
【０００８】
このように構成されたリモコン装置によれば、データ通信手段により受信したデータで示される内容を、表示指令手段の指令を受けた情報表示手段により表示することができる。そのため、例えば、リモコン装置の製造者側により配信されるウェブページの中に、リモコン装置に対して設定された操作手順が記載されたウェブページがある場合、このウェブページをデータ通信手段により受信（ウェブページへアクセス）することによって、リモコン装置の操作手順をウェブページとして情報表示手段により表示することができる。よって、利用者は、このようなウェブページをデータ通信手段により受信させる操作手順のみを覚えておけば、リモコン装置で被制御装置を遠隔操作する際に、マニュアルを手元に用意しなくても、リモコン装置に対して設定された操作手順を確認することができるようになる。
【０００９】
なお、上述の動作指令手段は、被制御装置を動作させるための入力操作が操作入力手段により行われた際に、この入力操作に対応する動作を被制御装置に指令する手段であって、例えば、入力操作に対応する動作を指令するための指令信号を被制御装置へ送信するように構成すればよい。
【００１０】
また、データ通信手段は、操作入力手段への操作を受けてネットワーク経由で伝送されるデータを送受信する手段であって、例えば、操作入力手段によりデータの送信先を指定する操作（データの送受信を開始するための操作）が行われた際に、この送信先へネットワークを介してデータを送信したり、操作入力手段によりデータの要求先を指定する操作が行われた際に、この要求先へデータの送信を要求し、この要求に応じて要求先から送信されてきたデータを受信する、といった処理を行う。
【００１１】
また、請求項２に記載のリモコン装置は、
音声を入出力する音声入出力手段と、
前記操作入力手段への操作を受けて、前記データ通信手段に音声データを受信させて該音声データに基づく音声を前記音声入出力手段に出力させること、および、該音声入出力手段に入力された音声に基づく音声データを前記データ通信手段に送信させることを開始する送受信開始手段と、を備えている、ことを特徴とする。
【００１２】
このように構成されたリモコン装置によれば、送受信開始手段によって、データ通信手段に受信された音声データに基づく音声を音声入出力手段から出力させること、および、音声入出力手段に入力された音声に基づく音声データをデータ通信手段に送信させることができる。このように、ネットワーク経由で伝送される音声信号に基づく音声を音声入出力手段から入出力させることにより、ネットワークを介して接続された他の端末装置との間で音声通話を行うことができる。
【００１３】
また、請求項３に記載のリモコン装置は、
被制御装置がテレビ受像機であるリモコン装置であって、
前記データ通信手段は、複数の放送番組それぞれの番組内容および放送チャネルを特定可能な番組データをネットワーク経由で配信可能な番組サーバーから、前記番組データを受信可能であって、
前記表示指令手段は、前記データ通信手段により受信された前記番組データで特定される放送番組それぞれの番組内容および放送チャネルを前記情報表示手段に表示させて、
前記動作指令手段は、前記表示指令手段による指令で番組内容および放送チャネルが前記情報表示手段に表示された後、該表示内容に基づき複数の放送番組のうちいずれかの放送番組を選択する操作が前記操作入力手段により行われた際に、該選択された放送番組の放送チャネルへの受信チャネルの切り替えをテレビ受像機に指令する、ことを特徴とする。
【００１４】
このように構成されたリモコン装置によれば、データ通信手段により受信された番組データで特定される番組内容および放送チャネルを、表示指令手段の指令を受けた情報表示手段に表示させることができる。そして、情報表示手段に番組内容および放送チャネルが表示された後、この表示内容に基づき複数の放送番組のうちいずれかの放送番組を選択する操作が操作入力手段により行われることによって、この選択された放送番組の放送チャネルへの受信チャネルの切り替えを動作指令手段によりテレビ受像機に指令することができる。よって、利用者は、どの放送チャネルでどのような放送番組が放送されているかをリモコン装置（の情報表示手段）で確認することができ、放送番組を確認しながら操作入力手段で放送番組を選択することによって、確実に視聴を希望する放送番組の放送チャネルにテレビ受像機の受信チャネルを切り替えることができる。そのため、利用者は、新聞・雑誌などの番組表で放送番組と放送チャネルとの対応関係を把握しておかなくても、視聴を希望する放送番組の放送チャネルに辿り着くまで、繰り返しテレビ受像機の受信チャネルを切り替えるといった無用な操作を行う必要がない。
【００１５】
なお、上述の番組データは、複数の放送番組それぞれの番組内容および放送チャネルを特定可能なデータであればよく、例えば、複数の放送番組それぞれの放送内容が、放送時刻および放送チャネルに合わせて格子状に配列された番組表（ＥＰＧ：Ｅｌｅｃｔｒｏｎｉｃ  Ｐｒｏｇｒａｍ  Ｇｕｉｄｅ）データや、所定の規則に従って複数の放送番組それぞれの放送内容および放送チャネルを抽出可能に記述されたＸＭＬ（Ｅｘｔｅｎｓｉｂｌｅ  Ｍａｒｋｕｐ  Ｌａｎｇｕａｇｅ）データなどを採用することができる。
【００１６】
また、請求項４に記載のリモコン装置は、
前記番組サーバーにより配信される前記番組データは、複数の放送番組それぞれに関連する関連データが付加されたデータであって、
前記表示指令手段は、番組内容および放送チャネルを前記情報表示手段に表示させた後、該表示内容に基づき複数の放送番組のうちいずれかの放送番組を選択する操作が前記操作入力手段により行われた際に、該選択された放送番組に関連する前記関連データで示される内容を前記情報表示手段に表示させる、ことを特徴とする。
【００１７】
このように構成されたリモコン装置によれば、情報表示手段に表示された表示内容に基づき複数の放送番組のうちいずれかの放送番組を選択する操作が操作入力手段により行われると、この選択された放送番組に関連する関連データで示される内容を、表示指令手段の指令を受けた情報表示手段により表示させることができる。
【００１８】
そのため、サーバー管理者側が、例えば、関連データとして、複数の放送番組それぞれを提供するスポンサーの広告を示すデータやスポンサーのウェブページを番組データに付加しておくことによって、リモコン装置の情報表示手段を利用してスポンサーの広告活動を行うことができるようになる。また、関連データとして、複数の放送番組それぞれに関連する応募先や連絡先（住所、電話番号、電子メールアドレス、放送番組のＵＲＬ（Ｕｎｉｆｏｒｍ  Ｒｅｓｏｕｒｃｅ  Ｌｏｃａｔｏｒ）など）を番組データに付加しておくことによって、テレビ受像機により表示（再生）されている放送番組に関連する応募先や連絡先を、リモコン装置の情報表示手段により利用者に伝えることができる。
【００１９】
また、請求項５に記載のリモコン装置は、
前記番組サーバーにより配信される前記番組データは、複数の放送番組それぞれに関連する関連データが付加されたデータであって、
前記表示指令手段は、前記データ通信手段により前記番組データが受信された後、該番組データに付加された前記関連データそれぞれで示される内容を所定のスケジュールに従って前記情報表示手段に表示させる、ことを特徴とする。
【００２０】
このように構成されたリモコン装置によれば、データ通信手段により番組データが受信された後、この番組データに付加された関連データそれぞれで示される内容を所定のスケジュールに従って表示指令手段の指令を受けた情報表示手段に表示させることができる。そのため、サーバー管理者側が、例えば、関連データとして、複数の放送番組それぞれを提供するスポンサーの広告を示すデータやスポンサーのウェブページを番組データに付加しておくことによって、リモコン装置の情報表示手段を利用してスポンサーの広告活動を所定のスケジュールに従って行うことができるようになる。
【００２１】
特に、このリモコン装置においては、請求項６に記載のように、
各種データを記録する記録手段と、
前記データ通信手段により受信された前記番組データについて、該番組データに付加されている前記関連データそれぞれを前記記録手段に記録させる関連記録指令手段と、を備えており、
前記表示指令手段は、前記記録手段に記録されている前記関連データそれぞれで示される内容を、所定のスケジュールに従って前記情報表示手段に表示させる、ように構成するよい。
【００２２】
このように構成されたリモコン装置によれば、表示指令手段の指令を受けた情報表示手段によって、記録手段に記録されている関連データそれぞれで示される内容を所定のスケジュールに従って表示させることができる。
また、請求項７に記載のリモコン装置は、
前記データ通信手段は、映像データをネットワーク経由で配信可能な映像サーバーから前記映像データを受信可能であって、
前記表示指令手段は、前記データ通信手段により前記映像データが受信された場合、該映像データに基づく映像を前記情報表示手段に表示させる、ことを特徴とする。
【００２３】
このように構成されたリモコン装置によれば、表示指令手段の指令を受けた情報表示手段によって、データ通信手段により受信された映像データに基づく映像を表示（再生）させることができる。そのため、利用者は、データ通信手段が映像データを受信可能な場所であれば、どのような場所であっても、データ通信手段により受信された映像データに基づく映像を視聴することができる。
【００２４】
特に、このリモコン装置においては、請求項８に記載のように、
各種データを記録する記録手段と、
前記データ通信手段により受信された前記映像データを前記記録手段に記録させる映像記録指令手段と、を備えており、
前記表示指令手段は、前記操作入力手段による操作を受けて、前記記録手段に記録されている前記映像データに基づく映像を前記情報表示手段に表示させる、ように構成するとよい。
【００２５】
このように構成されたリモコン装置によれば、表示指令手段の指令を受けた情報表示手段によって、記録手段に記録されている映像データに基づく映像を表示させることができる。この映像は操作入力手段による操作を受けて表示されるようになるため、利用者は、データ通信手段が映像データを受信可能な場所で映像データを記録しておけば、以降、どのような場所でも映像データに基づく映像を視聴することができる。
【００２６】
また、請求項９に記載の通信システムは、複数の放送番組それぞれの番組内容および放送チャネルを特定可能な番組データをネットワーク経由で配信可能な番組サーバー、および、請求項３から請求項８のいずれかに記載のリモコン装置により構成される。このように構成された通信システムによれば、請求項３から請求項８に記載のリモコン装置と同様の作用・効果を得ることができる。
【００２７】
また、請求項１０に記載の通信システムは、映像データをネットワーク経由で配信可能な映像サーバー、および、請求項７または請求項８に記載のリモコン装置により構成される。このように構成された通信システムによれば、請求項７または請求項８に記載のリモコン装置と同様の作用・効果を得ることができる。
【００２８】
また、請求項１１に記載のリモコン制御プログラムは、
利用者に入力操作を行わせる操作入力手段と、被制御装置を動作させるための入力操作が前記操作入力手段により行われた際に、該入力操作に対応する動作を被制御装置に指令する動作指令手段と、各種情報を表示する情報表示手段とを備えたリモコン装置を制御するための各種手順を、コンピュータシステムに実行させるためのリモコン制御プログラムであって、
ネットワーク経由で伝送されるデータを送受信可能なデータ通信手順と、
該データ通信手順において受信されたデータで示される内容を前記情報表示手段に表示させる表示指令手順と、が含まれている、ことを特徴とする。
【００２９】
このようなプログラムによって制御されるコンピュータシステムは、請求項１に記載のリモコン装置の一部を構成することができ、このコンピュータシステムを一部構成としたリモコン装置は、請求項１に記載のリモコン装置と同様の作用・効果を得ることができる。
【００３０】
また、リモコン装置が音声を入出力する音声入出力手段を備えている場合には、請求項１１に記載のリモコン制御プログラムを、請求項２に記載の送受信開始手段と同様に音声入出力手段による音声の入出力およびデータ通信手段による音声信号の送受信を開始する送受信開始手順が、含まれているプログラムとしてもよい。この場合、コンピュータシステムが、請求項２に記載のリモコン装置の一部を構成することができ、このコンピュータシステムを一部構成としたリモコン装置は、請求項２に記載のリモコン装置と同様の作用・効果を得ることができる。
【００３１】
また、リモコン装置がテレビ受像機用のリモコン装置である場合には、請求項１１に記載のリモコン制御プログラムを、請求項３に記載の各手段と同様に、データ通信手順においてはデータ通信手段と同様に番組データを受信して、表示指令手順においては表示指令手段と同様に番組内容および放送チャネルを情報表示手段に表示させて、動作指令手順においては動作指令手段と同様に受信チャネルの切り替えをテレビ受像機に指令する、ようなテレビ受像機用のリモコン制御プログラムとしてもよい。この場合、コンピュータシステムが、請求項３に記載のリモコン装置の一部を構成することができ、このコンピュータシステムを一部構成としたリモコン装置は、請求項３に記載のリモコン装置と同様の作用・効果を得ることができる。
【００３２】
また、このリモコン制御プログラムを、表示指令手段において、請求項４または請求項５に記載の表示指令手段と同様に関連データで示される内容を情報表示手段に表示させる、ようなプログラムとしてもよい。この場合、コンピュータシステムが、請求項４または請求項５に記載のリモコン装置の一部を構成することができ、このコンピュータシステムを一部構成としたリモコン装置は、請求項４または請求項５に記載のリモコン装置と同様の作用・効果を得ることができる。
【００３３】
また、リモコン装置が各種データを記録する記録手段を備えている場合には、このリモコン制御プログラムを、請求項６に記載の関連記録指令手段と同様に関連データそれぞれを記録手段に記録させる関連記録指令手順が含まれており、表示指令手順においては、請求項６に記載の表示指令手段と同様に関連データそれぞれで示される内容を情報表示手段に表示させる、ようなプログラムとしてもよい。この場合、コンピュータシステムが、請求項６に記載のリモコン装置の一部を構成することができ、このコンピュータシステムを一部構成としたリモコン装置は、請求項６に記載のリモコン装置と同様の作用・効果を得ることができる。
【００３４】
また、上述したテレビ受像機用のリモコン制御プログラムを、請求項７に記載の各手段と同様に、データ通信手順においてはデータ通信手段と同様に映像データを受信して、表示指令手順においては映像データに基づく映像を情報表示手段に表示させる、ようなプログラムとしてもよい。この場合、コンピュータシステムが、請求項７に記載のリモコン装置の一部を構成することができ、このコンピュータシステムを一部構成としたリモコン装置は、請求項７に記載のリモコン装置と同様の作用・効果を得ることができる。
【００３５】
また、リモコン装置が各種データを記録する記録手段を備えている場合には、このリモコン制御プログラムを、請求項８に記載の映像記録指令手段と同様に映像データを記録手段に記録させる映像記録指令手順が含まれており、表示指令手順においては、請求項８に記載の表示指令手段と同様に映像データに基づく映像を情報表示手段に表示させる、ようなプログラムとしてもよい。この場合、コンピュータシステムが、請求項８に記載のリモコン装置の一部を構成することができ、このコンピュータシステムを一部構成としたリモコン装置は、請求項８に記載のリモコン装置と同様の作用・効果を得ることができる。
【００３６】
なお、上述したリモコン制御プログラムは、例えば、ＦＤ、ＣＤ−ＲＯＭ、メモリーカードなどの記録媒体、インターネットなどの通信回線網を介して、リモコン装置自身、コンピュータシステム、または、これらを利用する利用者に提供されるものである。
【００３７】
【発明の実施の形態】
次に本発明の実施の形態について例を挙げて説明する。
リモコン装置（以降、単にリモコンとする）１は、図１に示すように、テレビ受像機（以降、単にテレビとする）１００を遠隔操作するための装置であって、インターネット２００を介してデータ通信可能なサーバー３００などと共に通信システムを構成するものである。
【００３８】
このリモコン１は、リモコン１全体の動作を制御する制御部１０、制御部１０による処理手順や処理結果などを記録する記録部２０、複数の操作ボタンからなる操作部３０、各種情報を表示する表示部４０、テレビ１００との間で赤外線による無線通信を行う赤外線モジュール５０、インターネット２００との間で電波による無線通信を行う無線ＬＡＮ（Ｌｏｃａｌ  Ａｒｅａ  Ｎｅｔｗｏｒｋ）モジュール６０、音声を入出力可能な音声入出力部７０などからなる。
【００３９】
これらのうち、記録部２０には、ウェブブラウザ（ＷＷＷブラウザ）が組み込まれており、リモコン１は、ウェブブラウザが起動している状態で操作部３０によりウェブページを指定する操作（ＵＲＬ（Ｕｎｉｆｏｒｍ  Ｒｅｓｏｕｒｃｅ  Ｌｏｃａｔｏｒ）やＩＰアドレスの入力操作）が行われた際、この指定されたウェブページへアクセスすることができる。具体的には、制御部１０が、無線ＬＡＮモジュール６０経由でインターネット２００に接続されたサーバー３００へウェブページの送信を要求し、この要求に応じたサーバー３００から送信されてきたウェブページを無線ＬＡＮモジュール６０経由で受信した後、このウェブページを表示部４０に表示させる。
【００４０】
また、操作部３０は、数字、文字、記号などを入力するための文字キー、後述する各処理（図４、図５）において音声通話を開始するための通話開始キー、同処理において音声通話を終了するための通話終了キー、後述する映像視聴処理（図６）において映像の録画を開始・終了させる録画キー、後述する映像再生処理（図７）において録画済の映像を再生開始・再生終了する再生キーなどで構成される。
【００４１】
また、赤外線モジュール５０は、制御部１０の指令を受けて、無線通信規格の一種であるＩｒＤＡ（ＩｎｆｒａＲｅｄ  Ｄａｔａ  Ａｓｓｏｃｉａｔｉｏｎ  ）規格に従い各種データを示す赤外線信号をテレビ１００へ送信するモジュールである。
また、無線ＬＡＮモジュール６０は、制御部１０の指令を受けて、無線通信規格の一種であるブルートゥース規格に従い各種データを示す無線信号をアクセスポイント（中継装置）２１０経由でインターネット２００から受信、および、インターネット２００へ送信するモジュールである。なお、アクセスポイント２１０は、リモコン１（無線ＬＡＮモジュール６０）から送信された無線信号をパケット単位のデータ（以降、ＩＰパケットとする）に変換してインターネット２００へ出力すると共に、インターネット２００から入力したＩＰパケットを無線信号に変換して無線ＬＡＮモジュール６０へ送信するものである。
【００４２】
また、音声入出力部７０は、スピーカ７２、マイク７４、および、これらを駆動する駆動回路７６などにより構成される。
サーバー３００は、インターネット２００を介して各種データを配信可能なコンピュータシステムである。これらの中には、例えば、図２に示すように、複数の放送番組それぞれの放送内容に対応する領域が放送時刻および放送チャネルに合わせて格子状に配列された番組表（ＥＰＧ：Ｅｌｅｃｔｒｏｎｉｃ  Ｐｒｏｇｒａｍ  Ｇｕｉｄｅ）の記載されたウェブページ（以降、番組表ページとする）を配信可能なウェブサーバーである第１サーバー３１０がある。この第１サーバー３１０は、インターネット２００を介して番組表ページの送信を要求された際に、要求元に対して番組表ページを送信（配信）する。この第１サーバー３１０が配信する番組表ページには、各格子状の領域それぞれに対応づけられた状態で、領域に対応する放送番組を提供するスポンサーの広告用データ（画像データまたはテキストデータ）が付加されている。さらに、格子状に配列された領域それぞれにはスクリプトが埋め込まれており、この番組表ページを受信・表示したリモコン１は、後述する番組表アクセス処理（図３）において、操作部３０によりいずれかの領域を選択する操作が行われた際に、この選択された領域に埋め込まれているスクリプトを制御部１０により実行する。これらスクリプトは、テレビ１００の受信チャネルをスクリプトの埋め込まれた領域に対応する放送チャネルへ切り替える処理手順、および、スクリプトの埋め込まれた領域に対応する広告用データを表示部４０で表示する処理手順を示すものである。
【００４３】
また、上述したサーバー３００の中には、リモコン１およびテレビ１００の製造者側により配信されるウェブページであって、リモコン１およびテレビ１００に対して設定された操作手順が記載されたウェブページ（以降、操作解説用ページ）を配信可能なウェブサーバーである第２サーバー３２０もある。この第２サーバー３２０は、インターネット２００を介して操作解説用ページの送信を要求された際に、要求元に対して操作解説用ページを送信（配信）する。
【００４４】
さらに、サーバー３００の中には、動画像のデータである映像データをＩＰパケットとして配信可能なサーバーである第３サーバー３３０などもある。この第３サーバー３３０は、映像データの送信を要求するための入力操作を実行可能なウェブページ（以降、映像要求用ページとする）を配信可能なウェブサーバーとしての機能も有しており、まず、インターネット２００を介して映像要求用ページの送信を要求された際に、要求元に対して映像要求用ページを送信（配信）する。そして、この映像要求用ページに基づいて映像データの送信を要求された際に、要求元に対して映像データをストリーミング方式（データを転送しながら順次再生可能にする）で送信（配信）する。
【００４５】
［制御部１０による番組表アクセス処理］
以下に、制御部１０により実行される番組表アクセス処理の処理手順を図３に基づいて説明する。この番組表アクセス処理は、ウェブブラウザが起動された状態で操作部３０により番組表ページを指定する操作が行われた際に開始される。
【００４６】
まず、番組表ページへアクセスする（ｓ１１０）。この処理では、第１サーバー３１０へ番組表ページの送信を要求し、この要求に応じた第１サーバー３１０から送信されてきた番組表ページを受信して表示部４０に表示させる（図２参照）。この番組表ページが表示部４０に表示された後、利用者は、操作部３０によって、番組表ページにおける格子状に配列されたいずれかの領域を選択する操作、本番組表アクセス処理を終了させるための操作などを行うことができる。この「番組表アクセス処理を終了させるための操作」とは、新たにウェブページを指定し直したり、ウェブブラウザを終了させたりするといった操作のことである。
【００４７】
次に、操作部３０による操作が行われるまで待機する（ｓ１２０：ＮＯ）。
このｓ１２０の処理で操作部３０による操作が行われた場合（ｓ１２０：ＹＥＳ）、操作内容が「番組表ページにおける格子状に配列されたいずれかの領域を選択する操作」であれば（ｓ１３０：ＹＥＳ）、この選択された領域に対応する放送チャネルへテレビ１００の受信チャネルを切り替えさせる（ｓ１４０）。ｓ１２０の処理で「番組表ページにおける格子状に配列されたいずれかの領域を選択する操作」が行われた場合には、この選択された領域に埋め込まれているスクリプトを実行して、このスクリプトで示される処理手順に従い、テレビ１００の受信チャネルを該当する放送チャネルへ切り替えるための指令データを赤外線モジュール５０経由でテレビ１００へ送信する。この指令データを受信したテレビ１００は、テレビ１００自身の受信チャネルを指令データで示される放送チャネルに切り替える。
【００４８】
そして、ｓ１２０の処理による操作で選択された領域に対応する広告用データを表示部４０に表示させる（ｓ１５０）。この処理では、ｓ１４０の処理に引き続き上述のスクリプトで示される処理手順に従い、ｓ１２０の処理による操作で選択された領域に対応する広告用データを番組表ページから抽出した後、この抽出した広告用データで示される内容を表示部４０に表示させる。なお、このｓ１５０の処理では、表示部４０の上半分を占める画像が番組表ページとなり、下半分を占める画像が広告用データで示される内容となる。
【００４９】
この処理を終えた後、ｓ１２０の処理へ戻る。
そして、ｓ１２０の処理における操作内容が「番組表アクセス処理を終了させるための操作」であれば（ｓ１３０：ＮＯ）、広告用データで示される内容の表示を表示部４０から消去させた後（ｓ１６０）、本番組表アクセス処理を終了する。このｓ１６０の処理においては、表示部４０に広告用データで示される内容が表示されている場合のみ表示の消去が行われる。なお、このｓ１６０の処理で表示の消去が行われた後、表示部４０には全体を占める画像が番組表ページとなる。
【００５０】
［制御部１０による発呼処理］
以下に、制御部１０により実行される発呼処理の処理手順を図４に基づいて説明する。この発呼処理は、操作部３０によって、通話相手となる端末装置（以降、相手側端末とする）を指定（電話番号やＵＲＩ（Ｕｎｉｆｏｒｍ  Ｒｅｓｏｕｒｃｅ  Ｉｄｅｎｔｉｆｉｅｒ  ）を入力）して、通話開始キーを押下する操作（以降、発呼操作とする）が行われた際に開始される。
【００５１】
まず、発呼操作により指定された相手側端末の発呼を行う（ｓ２１０）。この処理では、所定のシグナリング手順（ＳＩＰ（Ｓｅｓｓｉｏｎ  Ｉｎｉｔｉａｔｉｏｎ  Ｐｒｏｔｏｃｏｌ）、または、Ｈ．３２３規格）に従って、発呼操作により指定された相手側端末を無線ＬＡＮモジュール６０およびインターネット２００を介して発呼する。
【００５２】
次に、相手側端末が応答したかどうかをチェックする（ｓ２２０）。
このｓ２２０の処理で相手側端末が応答しない場合（ｓ２２０：ＮＯ）、操作部３０の通話終了キーを押下する操作が行われていなければ（ｓ２３０：ＮＯ）、ｓ２２０の処理へ戻る。
【００５３】
一方、ｓ２２０の処理で相手側端末が応答した場合（ｓ２２０：ＹＥＳ）、この相手側端末との間における音声通話を開始させる（ｓ２４０）。この処理では、まず、相手側端末とのコネクションを確立（論理的な回線を接続）することによって、相手側端末との間でインターネット２００を介してデータ通信可能な状態とする。そして、相手側端末から送信されてくる音声データ（ＩＰパケット）から音声信号を生成し、この音声信号に基づく音声を音声入出力部７０（のスピーカ７２）に出力させると共に、音声入出力部７０（のマイク７４）に入力された音声に基づく音声信号から音声データ（ＩＰパケット）を生成し、この音声データを相手側端末へ送信する、といった処理を開始することによって、リモコン１と相手側端末との間における音声通話を開始させる。
【００５４】
次に、操作部３０の通話終了キーを押下する操作が行われるまで待機して（ｓ２５０：ＮＯ）、通話終了キーを押下する操作が行われたら（ｓ２５０：ＹＥＳ）、相手側端末との間における音声通話を終了させる（ｓ２６０）。この処理では、まず、音声信号に基づく音声の入出力と音声データの送受信とを終了する。そして、相手側端末とのコネクションを開放（論理的な回線を切断）することによって、相手側端末との間でデータ通信不可能な状態とする。
【００５５】
こうして、このｓ２６０の処理を終えた後、または、ｓ２３０の処理で通話終了キーを押下する操作が行われていれば（ｓ２３０：ＹＥＳ）、本発呼処理を終了する。
［制御部１０による着信処理］
以下に、制御部１０が実行する着信処理の処理手順を図５に基づいて説明する。この着信処理は、インターネット２００経由で通話相手側となる端末装置（以降、相手側端末とする）から着信を受けた際に開始される。
【００５６】
まず、呼出音の出力を開始させる（ｓ３１０）。この処理では、あらかじめ記録部２０に記録されている呼出音の音声信号を読み出し、この音声信号に基づく音声の出力を音声入出力部７０に開始させることによって、音声入出力部７０がスピーカ７２からの呼出音の出力を開始する。
【００５７】
次に、操作部３０の通話開始キーを押下する操作が行われたかどうかをチェックする（ｓ３２０）。
このｓ３２０の処理で、通話開始キーを押下する操作が行われていなければ（ｓ３２０：ＮＯ）、着信が継続しているかどうかをチェックし（ｓ３３０）、継続していれば（ｓ３３０：ＹＥＳ）、ｓ３２０の処理へ戻る。
【００５８】
一方、ｓ３３０の処理で、着信が継続していなければ（ｓ３３０：ＮＯ）、呼出音の出力を終了させる（ｓ３４０）。この処理では、ｓ３１０の処理で開始された音声信号に基づく音声の出力を音声入出力部７０に終了させることによって、音声入出力部７０がスピーカ７２からの呼出音の出力を終了する。
【００５９】
また、ｓ３２０の処理で、通話開始キーを押下する操作が行われていれば（ｓ３２０：ＹＥＳ）、呼出音の出力を終了させる（ｓ３５０）。この処理は、ｓ３４０の処理と同様の処理である。
次に、相手側端末との間における音声通話を開始させる（ｓ３６０）。この処理は、図４におけるｓ２４０の処理と同様の処理である。
【００６０】
次に、操作部３０の通話終了キーを押下する操作が行われるまで待機して（ｓ３７０：ＮＯ）、通話終了キーを押下する操作が行われたら（ｓ３７０：ＹＥＳ）、相手側端末との間における音声通話を終了させる（ｓ３８０）。この処理は、図４におけるｓ２６０の処理と同様の処理である。
【００６１】
こうして、このｓ３８０の処理を終えた後、または、ｓ３４０の処理を終えた後、本着信処理を終了する。
［制御部１０による映像視聴処理］
以下に、制御部１０により実行される映像視聴処理の処理手順を図６に基づいて説明する。この映像視聴処理は、操作部３０によって、映像データの送信を第３サーバー３３０に対して要求する操作（映像要求用ページへの入力操作）が行われた際に開始される。
【００６２】
まず、第３サーバー３３０から映像データを受信するまで待機する（ｓ４１０：ＮＯ）。この処理では、映像データの一部を受信するまで待機する。
このｓ４１０の処理で映像データを受信したら（ｓ４１０：ＹＥＳ）、映像データに基づく映像の再生を開始する（ｓ４２０）。
【００６３】
次に、ｓ４２０の処理で開始された映像の再生が終了したかどうかをチェックする（ｓ４３０）。この処理では、第３サーバー３３０からの映像データの受信が終了し、かつ、映像データに基づく映像の再生が終了したかどうかをチェックする。
【００６４】
このｓ４３０の処理で、映像の再生が終了していなければ（ｓ４３０：ＮＯ）、操作部３０により録画を開始するための操作が行われたかどうかをチェックする（ｓ４４０）。この処理では、操作部３０の録画キーが押下された場合に、録画を開始するための操作が行われたと判定する。
【００６５】
このｓ４４０の処理で、録画を開始するための操作が行われていない場合（ｓ４４０：ＮＯ）、ｓ４３０の処理へ戻る。
一方、ｓ４４０の処理で、録画を開始するための操作が行われた場合（ｓ４４０：ＹＥＳ）、ｓ４２０の処理で再生を開始された映像の録画を開始する（ｓ４５０）。この処理では、ｓ４２０の処理で再生を開始された映像のうち、ｓ４４０の処理で録画を開始するための操作が行われた以降の映像について、この映像の映像データとしての記録を記録部２０に開始させる。なお、この処理で記録される映像データは、記録を開始した日時を示すファイル名で記録される。
【００６６】
次に、録画を終了するための操作が行われたかどうかをチェックする（ｓ４６０）。この処理では、操作部３０の録画キーが再度押下された場合に、録画を終了するための操作が行われたと判定する。
このｓ４６０の処理で、録画を終了するための操作が行われた場合（ｓ４６０：ＹＥＳ）、ｓ４５０の処理で開始された映像の録画を終了する（ｓ４７０）。この処理では、ｓ４５０の処理で開始された映像データの記録部２０による記録を終了させる。
【００６７】
この、ｓ４７０の処理を終えた後、ｓ４３０の処理へ戻る。
また、ｓ４６０の処理で、録画を終了するための操作が行われていない場合（ｓ４６０：ＮＯ）、ｓ４２０の処理で開始された映像の再生が終了したかどうかをチェックする（ｓ４８０）。この処理は、ｓ４３０の処理と同様の処理である。
【００６８】
このｓ４８０の処理で、映像の再生が終了していなければ（ｓ４８０：ＮＯ）、ｓ４４０の処理へ戻る。
一方、ｓ４８０の処理で、映像の再生が終了していれば（ｓ４８０：ＹＥＳ）、ｓ４５０の処理で開始された映像の録画を終了する（ｓ４９０）。この処理は、ｓ４７０の処理と同様の処理である。
【００６９】
こうして、ｓ４９０の処理を終えた後、または、ｓ４３０の処理で映像の再生が終了していれば（ｓ４３０：ＹＥＳ）、本映像視聴処理を終了する。
［制御部１０による映像再生処理］
以下に、制御部１０が実行する映像再生処理の処理手順を図７に基づいて説明する。この映像再生処理は、操作部３０の再生キーが押下された際に開始される。
【００７０】
まず、記録部２０に記録されている映像データの一覧を表示部４０に表示させる（ｓ５１０）。この処理では、上述の映像視聴処理（図６）において記録部２０に記録された映像データのファイル名一覧を表示部４０に表示させる。このファイル名一覧が表示部４０に表示された後、利用者は、操作部３０によって、表示部４０に表示されたファイル名のいずれかを選択する操作などを行うことができる。
【００７１】
次に、ｓ５１０の処理で表示部４０に表示された映像データ（ファイル名）のいずれかを選択する操作が行われるまで待機して（ｓ５２０：ＮＯ）、いずれかを選択する操作が行われたら（ｓ５２０：ＹＥＳ）、この選択された映像データに基づく映像の再生を開始させる（ｓ５３０）。この処理では、まず、記録部２０に記録されている映像データの中から、操作部３０による利用者の操作で選択されたファイル名の映像データを読み出す。そして、この読み出した映像データに基づく映像の再生（表示）を表示部４０により開始させる。
【００７２】
次に、ｓ５３０の処理で開始された映像の再生が終了したかどうかをチェックする（ｓ５４０）。
このｓ５４０の処理で、映像の再生が終了していなければ（ｓ５４０：ＮＯ）、操作部３０により再生を終了するための操作が行われたかどうかをチェックする（ｓ５５０）。この処理では、操作部３０の再生キーが再度押下された場合に、再生を終了するための操作が行われたと判定する。
【００７３】
このｓ５５０の処理で、再生を終了するための操作が行われていなければ（ｓ５５０：ＮＯ）、ｓ５４０の処理へ戻る。
一方、ｓ５５０の処理で、再生を終了するための操作が行われていれば（ｓ５５０：ＹＥＳ）、ｓ５３０の処理で開始された映像の再生（表示）を終了させる（ｓ５６０）。
【００７４】
こうして、ｓ５６０の処理を終えた後、または、ｓ５４０の処理で映像の再生が終了していれば（ｓ５４０：ＹＥＳ）、本映像再生処理を終了する。
［効果］
このように構成されたリモコン１によれば、記録部２０に組み込まれたウェブブラウザによって、ウェブページへアクセス（受信および表示）することができる。そのため、リモコン１およびテレビ１００に対して設定された操作手順が記載された操作解説用ページへアクセスすることによって、リモコン１の操作手順をウェブページとして表示部４０により表示することができる。よって、利用者は、このようなウェブページへアクセスする操作手順のみを覚えておけば、リモコン１でテレビ１００を遠隔操作する際に、マニュアルを手元に用意しなくても、リモコン１に対して設定された操作手順を確認することができる。
【００７５】
また、図４におけるｓ２４０からｓ２６０の処理、および、図５におけるｓ３６０からｓ３８０の処理において、無線ＬＡＮモジュール６０経由で受信した音声データに基づく音声を音声入出力部７０から出力すること、および、音声入出力部７０に入力された音声に基づく音声データを無線ＬＡＮモジュール６０経由で送信することができる。このように、インターネット２００経由で伝送される音声データに基づく音声を音声入出力部７０から入出力させることにより、インターネット２００を介して接続された相手側端末との間で音声通話を行うことができる。
【００７６】
また、図３におけるｓ１１０の処理でアクセスされた番組表ページを表示部４０に表示させることができる。そして、番組表ページとして表示された表示内容に基づき、ｓ１２０の処理で「番組表ページにおける格子状に配列されたいずれかの領域を選択する操作」が行われることによって、テレビ１００の受信チャネルを、番組表ページにおける格子状に配列された領域のうち、操作部３０の操作で利用者に選択された領域に対応する放送チャネルに切り替えさせることができる。よって、利用者は、どの放送チャネルでどのような放送番組が放送されているかをリモコン１（の表示部４０）で確認することができ、放送番組を確認しながら操作部３０で放送番組（に対応する領域）を選択することによって、確実に視聴を希望する放送番組の放送チャネルにテレビ１００の受信チャネルを切り替えさせることができる。そのため、利用者は、新聞・雑誌などの番組表で放送番組と放送チャネルとの対応関係を把握しておかなくても、視聴を希望する放送番組の放送チャネルに辿り着くまで、繰り返しテレビ１００の受信チャネルを切り替えるといった無用な操作を行う必要がない。
【００７７】
また、図３におけるｓ１２０の処理で、表示部４０に表示された表示内容に基づき複数の放送番組のうちいずれかの放送番組を選択する操作が操作部３０により行われると、この選択された放送番組に対応する広告用データで示される内容をｓ１５０の処理で表示部４０により表示させることができる。この広告用データは、複数の放送番組それぞれを提供するスポンサーの広告を示すデータやスポンサーのウェブページであるため、リモコン１の表示部４０を利用してスポンサーの広告活動を行うことができる。
【００７８】
また、図６におけるｓ４２０以降の処理で、第３サーバー３３０から受信した映像データに基づく映像を再生させることができる。
そのため、利用者は、無線ＬＡＮモジュール６０が映像データを受信可能な場所であれば、どのような場所であっても、無線ＬＡＮモジュール６０が受信した映像データに基づく映像を視聴することができる。
【００７９】
また、図６におけるｓ４５０の処理によって映像の録画を開始することができる。そして、図７におけるｓ５３０の処理で、記録部２０に記録されている映像データに基づく映像を再生（表示）させることができる。この映像は操作部３０の再生キーが押下された際に再生されるため、利用者は、無線ＬＡＮモジュール６０により映像データを受信可能な場所で映像データを記録しておけば、以降、どのような場所でも映像データに基づく映像を視聴することができる。
【００８０】
［変形例］
以上、本発明の実施形態について説明したが、本発明は上記の具体的な実施形態に限定されず、このほかにも様々な形態で実施することができる。
例えば、上記実施形態においては、テレビ１００を遠隔操作するためのリモコン１に本発明のリモコン装置としての構成を適用したものを例示した。しかし、本発明のリモコン装置としての構成を適用する装置は、ウェブブラウザが組み込まれておりウェブページへアクセスすることができれば、テレビ１００以外の装置を遠隔操作するためのリモコンであってもよい。
【００８１】
また、上記実施形態においては、図３から図７の処理それぞれが、リモコン１の制御部１０からなるコンピュータシステムにより実行されるように構成されたものを例示した。しかし、これら各処理の一部または全部が、リモコン１に有線・無線の信号伝送路で接続された別のコンピュータシステムにより実行されるように構成してもよい。
【００８２】
また、上記実施形態においては、図３から図７の各処理が、リモコン１の記録部２０に記憶されている処理手順に従って実行されるように構成されたものを例示した。しかし、リモコン１が、ＦＤやメモリーカードなどの記録媒体との間でデータを入出力可能に構成されている場合には、上述の処理手順が記録されている記録媒体に基づいて、上記各処理が実行されるように構成してもよい。
【００８３】
また、上記実施形態においては、リモコン１がインターネット２００からなるＷＡＮ（Ｗｉｄｅ  Ａｒｅａ  Ｎｅｔｗｏｒｋ）に接続された状態を例示したが、このリモコン１は、サーバー３００を構成要素とするＬＡＮ（Ｌｏｃａｌ  Ａｒｅａ  Ｎｅｔｗｏｒｋ）に接続した状態でも同様に使用することができる。
【００８４】
また、上記実施形態においては、記録部２０がリモコン１に内蔵されている構成を例示した。しかし、この記録部２０（の一部）をリモコン１から着脱自在な記録媒体で構成してもよい。この場合、図６におけるｓ４５０からｓ４７０の処理で記録部２０に記録された映像データに基づく映像を、記録部２０からデータを読み出し可能な端末装置によって再生（表示）することができる。
【００８５】
また、上記実施形態においては、無線ＬＡＮモジュール６０が、無線通信規格の一種であるブルートゥース規格に従って無線通信を行うように構成されたものを例示した。しかし、無線ＬＡＮモジュール６０は、ブルートゥース規格以外の無線通信規格に従って無線通信を行うように構成してもよい。ここで、ブルートゥース規格以外の無線通信規格としては、例えば、ＩＥＥＥ８０２．１１（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２．１１  ）、ＨｏｍｅＲＦ（Ｈｏｍｅ  Ｒａｄｉｏ  Ｆｒｅｑｕｅｎｃｙ）、ＩｒＤＡなどが考えられる。
【００８６】
また、上記実施形態においては、第１サーバー３１０が番組表の記載された番組表ページを配信するように構成されたものを例示した。しかし、第１サーバー３１０が配信するデータは、複数の放送番組それぞれの番組内容および放送チャネルを特定可能なデータであればよく、例えば、所定の規則に従って複数の放送番組それぞれの放送内容および放送チャネルを抽出可能に記述されたＸＭＬ（Ｅｘｔｅｎｓｉｂｌｅ  Ｍａｒｋｕｐ  Ｌａｎｇｕａｇｅ）データなどを採用してもよい。
【００８７】
また、上記実施形態においては、番組表ページに広告用データが付加されているものを例示した。しかし、番組表ページには、複数の放送番組それぞれに関連する応募先や連絡先（住所、電話番号、電子メールアドレス、放送番組のＵＲＬ（Ｕｎｉｆｏｒｍ  Ｒｅｓｏｕｒｃｅ  Ｌｏｃａｔｏｒ）など）が付加されるように構成してもよい。この場合、テレビ１００により表示（再生）される放送番組に関連する応募先や連絡先を、リモコン１の表示部４０により利用者に伝えることができるようになる。
【００８８】
また、上記実施形態においては、図３におけるｓ１６０の処理で、広告用データで示される内容の表示を表示部４０から消去させるように構成されたものを例示した。しかし、このｓ１６０の処理を行わないように構成し、広告用データで示される内容が引き続き表示部４０に表示されるように構成してもよい。
【００８９】
また、上記実施形態における図３の番組表アクセス処理を、図８に示すような処理としてもよい。具体的には、まず、図３におけるｓ１１０の処理の前に、記録部２０における広告用データ記録用のメモリ領域を初期化する（ｓ１０２）。続いて、ｓ１１０の処理の後、番組表ページに付加されている全ての広告用データを、記録部２０における広告用データ記録用のメモリ領域に記録させる（ｓ１１２）。この処理では、番組表ページに付加されている広告用データそれぞれを、通し番号に対応づけた状態で記録部２０に記録させる。続いて、広告表示処理を開始する（ｓ１１４）。広告表示処理は、広告用データで示される内容を表示部４０に表示させるための処理であって、詳細な処理手順は後述の「制御部１０による広告表示処理（図９）」において説明する。続いて、ｓ１４０の処理の後、ｓ１５０の処理を行うことなくｓ１２０の処理へ戻る。そして、ｓ１３０の処理で操作内容が「番組表アクセス処理を終了させるための操作」であれば（ｓ１３０：ＮＯ）、ｓ１１４の処理で開始された広告表示処理を終了してから（ｓ１３２）、本番組表アクセス処理を終了する。
・制御部１０による広告表示処理
以下に、制御部１０が実行する広告表示処理の処理手順を、図９に基づいて説明する。この広告表示処理は、図８におけるｓ１１４の処理が行われた際に開始されて、同ｓ１３２の処理が行われた際に終了する。
【００９０】
まず、変数Ｎを初期化する（ｓ６１０）。この処理では、変数Ｎに「１」がセット（１→Ｎ）される。なお、以降に記載の「ｎ」は変数Ｎにセットされた値を示すものとする。
次に、本広告表示処理を終了すべきかどうかをチェックする（ｓ６２０）。この処理では、図８におけるｓ１３２の処理が行われていれば、本広告表示処理を終了すると判定する。
【００９１】
このｓ６２０の処理で、本広告表示処理を終了すべきではない場合（ｓ６２０：ＮＯ）、通し番号が第ｎ番目となっている広告用データが記録部２０に記録されているかどうかをチェックする（ｓ６３０）。
このｓ６３０の処理で、第ｎ番目の広告用データが記録されている場合（ｓ６３０：ＹＥＳ）、この第ｎ番目の広告用データで示される内容を表示部４０に表示させる（ｓ６４０）。
【００９２】
次に、タイマーをスタートする（ｓ６５０）。
次に、タイマーのカウント値Ｔが所定の時間ｔａ（例えば、１０秒）以上（ｔａ≦Ｔ）となるまで待機する（ｓ６６０：ＮＯ）。
このｓ６６０の処理でタイマーのカウント値Ｔが所定の時間ｔａ以上となったら（ｓ６６０：ＹＥＳ）、ｓ６４０の処理でスタートしたタイマーをストップおよびリセットする（ｓ６７０）。
【００９３】
次に、変数Ｎに「１」を加算（ｎ＋１→Ｎ）した後（ｓ６８０）、ｓ６２０の処理へ戻る。
この後、ｓ６２０の処理で本広告表示処理を終了すべき場合（ｓ６２０：ＹＥＳ）、ｓ６３０の処理で第ｎ番目の広告用データが記録部２０に記録されていない場合（ｓ６３０：ＮＯ）、広告用データで示される内容の表示を表示部４０から消去させた後（ｓ６９０）、本広告表示処理を終了する。
【００９４】
このように構成すれば、図８におけるｓ１１０の処理で番組表ページへアクセスした後、この番組表ページに付加された広告用データを記録部２０に記録させることができ、この記録部２０に記録された広告用データそれぞれで示される内容を所定のスケジュール（１０秒間隔）に従って表示部４０に表示させることができる。この広告用データは、複数の放送番組それぞれを提供するスポンサーの広告を示すデータやスポンサーのウェブページであるため、リモコン１の表示部４０を利用してスポンサーの広告活動を所定のスケジュールに従って行うことができる。
【００９５】
［本発明との対応関係］
以上説明した実施形態において、テレビ１００は本発明における被制御装置、第１サーバー３１０は本発明における番組サーバー、第３サーバー３３０は本発明における映像サーバー、番組表ページは本発明における番組データ、広告用データは本発明における関連データである。
【００９６】
また、リモコン１を構成する記録部２０は本発明における記録手段、操作部３０は本発明における操作入力手段、表示部４０は本発明における情報表示手段、赤外線モジュール５０は本発明における動作指令手段、無線ＬＡＮモジュール６０は本発明におけるデータ通信手段、音声入出力部７０は本発明における音声入出力手段である。
【００９７】
また、図３におけるｓ１１０およびｓ１５０の処理は本発明における表示指令手段、ｓ１４０の処理は本発明における動作指令手段である。また、図４におけるｓ２４０の処理、および、図５におけるｓ３６０の処理は、本発明における送受信開始手段である。また、図６におけるｓ４２０の処理は本発明における表示指令手段、ｓ４５０の処理は本発明における映像記録指令手段である。また、図７におけるｓ５３０の処理は本発明における表示指令手段である。
【００９８】
また、図８におけるｓ１１２の処理は本発明における関連記録指令手段である。
また、図９におけるｓ６４０の処理は本発明における表示指令手段である。
【図面の簡単な説明】
【図１】実施形態におけるリモコン装置の制御系統を示すブロック図
【図２】番組表ページを示す図
【図３】番組表アクセス処理の処理手順を示すフローチャート
【図４】発呼処理の処理手順を示すフローチャート
【図５】着信処理の処理手順を示すフローチャート
【図６】映像視聴処理の処理手順を示すフローチャート
【図７】映像再生処理の処理手順を示すフローチャート
【図８】別の実施形態における番組表アクセス処理の処理手順を示すフローチャート
【図９】別の実施形態における広告表示処理の処理手順を示すフローチャート
【符号の説明】
１・・・リモコン装置、１０・・・制御部、２０・・・記録部、３０・・・操作部、４０・・・表示部、５０・・・赤外線モジュール、６０・・・無線ＬＡＮモジュール、７０・・・音声入出力部、７２・・・スピーカ、７４・・・マイク、７６・・・駆動回路、３００・・・サーバー、３１０・・・第１サーバー、３２０・・・第２サーバー、３３０・・・第３サーバー。
【図１】
2004153672.tif 000003
【図２】
2004153672.tif 000004
【図３】
2004153672.tif 000005
【図４】
2004153672.tif 000006
【図５】
2004153672.tif 000007
【図６】
2004153672.tif 000008
【図７】
2004153672.tif 000009
【図８】
2004153672.tif 000010
【図９】
2004153672.tif 000011